(57)【特許請求の範囲】
【請求項１】
画像を表示する表示装置と、
前記表示装置に表示される動画像をフリーズさせるフリーズスイッチと、
画像記録の開始を指示する記録スイッチと、
を有する操作部と、
前記表示装置に動画像が表示されている状態では、画像記録方式は動画像記録方式に設定されていて、前記操作部の記録スイッチにより画像記録を指示すると、前記動画像記録方式で動画像を記録媒体に記録する機能と、
前記フリーズスイッチで前記表示装置に表示される動画像をフリーズさせたとき、前記動画像記録方式から静止画像の画像記録方式である静止画像記録方式に設定を切り換える機能と、
前記フリーズスイッチで前記表示装置に表示される動画像をフリーズさせ静止画像を表示させた状態で、前記操作部の記録スイッチにより画像記録を指示すると、静止画像を前記記録媒体に記録する機能と、
を有する制御部と、
を具備する内視鏡用画像記録装置。
【請求項２】
前記制御部は、
前記操作部のフリーズスイッチで、前記表示装置に表示される動画像をフリーズさせると、前記表示装置に表示される表示画像の切り換え情報を記憶する情報記憶部を有し、
前記情報記憶部の記憶された切り換え情報により、静止画像の選択状態であるか  動画像の選択状態であるかを判断することを特徴とする請求項１に記載の内視鏡用画像記録装置。
【請求項３】
動画像を圧縮処理する動画像圧縮処理部と、
静止画像を圧縮処理する静止画像圧縮処理部と、をさらに備え、
前記制御部は、前記表示装置に表示されている表示画像に応じて動画像或いは静止画像の圧縮処理を行なうことを特徴とする請求項１又は２に記載の内視鏡用画像記録装置。
【請求項４】
前記制御回路の指示に基づき、グラフィック画像データを生成するグラフィック処理部を、さらに備え、
前記操作部のフリーズスイッチで前記表示装置に表示される動画像をフリーズさせると、前記表示装置に表示される静止画像の映像信号は、前記グラフィック処理部で生成されるグラフィック画像データと重畳され、前記表示装置に出力されることを特徴とする請求項１乃至３のいずれかに記載の内視鏡用画像記録装置。
【請求項５】
音声信号を記録処理する音声記録処理回路を
さらに備えたことを特徴とする請求項１乃至４のいずれかに記載の内視鏡用画像記録装置。
【請求項６】
前記記録媒体に情報を記録可能とする残り容量を検出して保持する手段と、
前記残り容量を表示するインジケータと、
をさらに備えることを特徴とする請求項１乃至５のいずれかに記載の内視鏡用画像記録装置。
【請求項７】
表示装置に動画像を表示している際は、動画像の画像記録方式である動画像記録方式に設定されていて、前記表示装置に表示される動画像をフリーズさせるフリーズスイッチと、画像記録の開始を指示する記録スイッチと、を有する操作部の前記記録スイッチにより画像記録を指示すると、動画像記録方式で動画像を記録媒体に記録する画像記録装置の内視鏡用画像記録方法であって、
前記操作部のフリーズスイッチで動画像をフリーズして静止画像を前記表示装置に出力するステップと、
前記フリーズスイッチで前記表示装置に表示される動画像をフリーズさせると、動画像記録方式から静止画像の画像記録方式である静止画像記録方式に設定を切り換えるステップと、
前記フリーズスイッチで前記表示装置に表示される動画像をフリーズさせた状態で、前記操作部の記録スイッチにより画像記録を指示すると、静止画記録方式で静止画を記録媒体に記録するステップと、
を備えたことを特徴とする内視鏡用画像記録方法。
【請求項８】
前記フリーズスイッチにより前記表示装置に表示される表示画像が動画像に切り換わったことが判断された時、静止画像を更新する静止画像更新ステップと、
更新する静止画像を記録するために、画像の記録方式を、静止画像を記録する静止画像の記録方式に設定し、静止画像の記録を行う静止画像記録ステップと、
を有する請求項７に記載の内視鏡用画像記録方法。
【発明の詳細な説明】
【０００１】
【発明の属する技術分野】
本発明は、静止画像記録や動画像記録といった複数の記録方式での画像の記録を可能とした内視鏡用画像記録装置及び内視鏡用画像記録方法に関する。
【０００２】
【従来の技術】
従来より多数の画像データをディジタルデータとして記録メディアに記録し、これらの記録された画像データを必要に応じて再生表示できるようにした画像記録装置が種々考案されている。
【０００３】
このような画像記録装置としては、産業用内視鏡装置と組み合わせて使用することで、産業用内視鏡を用いた内視鏡検査で得られた画像データを記録できるようにしたものが有る。
【０００４】
産業用内視鏡を用いた内視鏡検査では、検査対象物によっては屋外で検査しなければならないことがあり、例えば炎天下や降雪時のような厳しい環境下や、体の動きが制限されるような狭い空間などで検査を行わなければならない場合には、検査が長時間に及ぶと検査者の負担が大きかった。
【０００５】
このような産業用内視鏡を用いた内視鏡検査に前述した画像記録装置を用いると、検査現場では画像を画像記録装置に記録することに専念して、画像の精査は画像記録装置を事務所等に持ち帰った後でゆっくりと行うことができるようになる。その結果、検査現場での検査時間を短縮化して検査者の負担を低減できる上に、画像の精査を良好な環境下で時間をかけて行うことができるため検査の見落としも少なくなるという効果もあるので、良く用いられている。
【０００６】
また、画像記録装置で記録した画像データをパーソナルコンピュータなどに移してファイリングすれば、画像の管理が容易になるし、さらにはインターネット経由で画像データを遠隔地に転送することもできるようになるなどのメリットもある。
【０００７】
これらの画像記録装置の中には、近年の画像の圧縮技術の向上と記憶メディアの記憶容量が増大した結果、例えば特願平１１−２２２４３号に示されたように、静止画のみならず動画をも記録できるようにしたものも現れている。
【０００８】
しかしながら、このような従来の画像記録装置では静止画を記録するか動画を記録するかは、スイッチ操作なりメニュー操作なりであらかじめ画像記録方式を設定しておくようになっていた。
【０００９】
【発明が解決しようとする課題】
たとえば画像をフリーズした場合には、表示装置に表示されている画像は静止画状態になっている。その際、画像記録装置の記録方式の設定が動画記録になっていると、静止画を動画として記録してしまう。
【００１０】
しかし、静止画を動画として記録しても同じ画像が延々と記録され続けるだけなので、記録メディアの画像記憶領域を無駄に消費するだけである。このような場合には操作者が動画記録を中断し、画像記録方式を静止画記録に設定し直して、改めて静止画記録を実行し直す必要があった。
【００１１】
画像記録装置の記録方式が静止画記録に設定されているときに、動画での記録に適した被写体が現れた場合に、記録方式を静止画記録から動画記録へと切り換えて動画の記録を開始しなければならないので、突発的に現れる被写体に合わせて画像記録方式を切り換えねばならないような用途には向いていなかった。
【００１２】
また、現在の画像記録方式がどのように設定されているかは、操作者が覚えていなければならなかったので、検査に熱中してしまうと、現在の記録方式を忘れてしまい意図しない記録方式で画像を記録してしまうこともしばしばあった。
【００１３】
（発明の目的）
本発明は、上述した点に鑑みてなされたもので、表示されている画像の状態に応じてその記録に適した記録方式を自動的に切り換えて、記録ができる使い勝手の良い内視鏡用画像記録装置及び内視鏡用画像記録方法を提供することを目的とする。
【００１４】
【課題を解決するための手段】
本発明による内視鏡用画像記録装置は、画像を表示する表示装置と、前記表示装置に表示される動画像をフリーズさせるフリーズスイッチと、画像記録の開始を指示する記録スイッチと、を有する操作部と、前記表示装置に動画像が表示されている状態では、画像記録方式は動画像記録方式に設定されていて、前記操作部の記録スイッチにより画像記録を指示すると、前記動画像記録方式で動画像を記録媒体に記録する機能と、前記フリーズスイッチで前記表示装置に表示される動画像をフリーズさせたとき、前記動画像記録方式から静止画像の画像記録方式である静止画像記録方式に設定を切り換える機能と、前記フリーズスイッチで前記表示装置に表示される動画像をフリーズさせ静止画像を表示させた状態で、前記操作部の記録スイッチにより画像記録を指示すると、静止画像を前記記録媒体に記録する機能と、を有する制御部と、を備えているので、表示されている画像の状態に応じて自動的にその記録に適した記録方式を決定して、画像を記録することができる。
本発明による内視鏡用画像記録方法は、表示装置に動画像を表示している際は、動画像の画像記録方式である動画像記録方式に設定されていて、前記表示装置に表示される動画像をフリーズさせるフリーズスイッチと、画像記録の開始を指示する記録スイッチと、を有する操作部の前記記録スイッチにより画像記録を指示すると、動画像記録方式で動画像を記録媒体に記録する画像記録装置の内視鏡用画像記録方法であって、前記操作部のフリーズスイッチで動画像をフリーズして静止画像を前記表示装置に出力するステップと、前記フリーズスイッチで前記表示装置に表示される動画像をフリーズさせると、動画像記録方式から静止画像の画像記録方式である静止画像記録方式に設定を切り換えるステップと、前記フリーズスイッチで前記表示装置に表示される動画像をフリーズさせた状態で、前記操作部の記録スイッチにより画像記録を指示すると、静止画記録方式で静止画を記録媒体に記録するステップと、を備えているので、表示されている画像の状態に応じて自動的にその記録に適した記録方式を決定して、画像を記録することができる。
【００１５】
【発明の実施の形態】
以下、図面を参照して本発明の実施の形態を説明する。
（第１の実施の形態）
図１ないし図４は本発明の第１の実施の形態に係り、図１は本発明の第１の実施の形態の画像記録装置の構成を示し、図２は映像信号処理回路及び音声信号処理回路の構成を示し、図３はリモートコントローラを示し、図４は画像記録スイッチを操作した場合の処理内容を示す。
【００１６】
図１に示すように、内視鏡画像を記録する第１の実施の形態の画像記録装置１は本画像記録装置１の動作を制御するとともに、静止画像データおよび動画像データおよび音声データの記憶を制御するシステム制御部２と、内視鏡ユニット３に接続されたカメラコントロールユニット（ＣＣＵと略記）４からの映像信号がコネクタから入力され、映像出力装置（画像表示装置）５へ映像信号を出力する映像信号処理回路６と、音声入力装置７からの音声信号を入力し、音声出力装置８へ音声信号を出力する音声信号処理回路９と、画像記録装置１に接続された内視鏡ユニット３、ＣＣＵ４、リモートコントローラ１０をシリアル信号を用いて制御するためのＲＳ−２３２Ｃ Ｉ／Ｆ１１と、記録メディアとしての例えばＰＣカード１２を着脱自在に装着してＰＣカード１２へ画像データ等を入出力するためのＰＣカードＩ／Ｆ１３と、パーソナルコンピュータ１４と接続し、画像記録装置１や内視鏡ユニット３を遠隔制御したり、パーソナルコンピュータ１４と画像記録装置１との間で、画像データおよび音声データを転送する際のＩ／ＦとなるＵＳＢ（Universal Serial Bus）Ｉ／Ｆ１５とから構成されている。
【００１７】
なお、画像記録装置１に対する画像入力装置としてのＣＣＵ４は内視鏡ユニット３で撮像された撮像信号から映像信号に変換して、画像記録装置１内の映像信号処理回路６へ出力する。
【００１８】
この映像信号処理回路６は後述するようにＣＣＵ４から入力される動画像の映像信号を出力する機能と、内部のメモリに一時記憶した静止画像を出力する機能とを備え、リモートコントローラ１０による操作により、システム制御部２による制御下で、画像表示装置５側に出力する画像を動画像にしたり、静止画像にしたりできる。
【００１９】
また、映像信号処理回路６は後述するように動画像と静止画像とをそれぞれ圧縮して記録処理する画像記録処理回路を備え、ＰＣカード１２に動画像を記録したり、静止画像を記録したりすることができる。
【００２０】
映像出力装置５は、例えばテレビジョンモニタやビデオプロジェクタのように入力される映像信号に対応する画像を表示する表示装置である。音声入力装置７は、例えばマイクロフォンのような集音装置である。音声出力装置８は、例えばスピーカのような発音装置である。
【００２１】
前記システム制御部２は、画像記録装置１の制御を司るＣＰＵ１６と、このＣＰＵ１６が実行するプログラムを格納しておくＲＯＭ１７と、ＣＰＵ１６がプログラムを実行するために必要なデータやプログラムを一時的に格納しておくためのＲＡＭ１８とから構成されている。
【００２２】
前記ＰＣカード１２はカード内にフラッシュメモリ等の不揮発性の半導体メモリを内蔵しており、ＰＣカード１２に記憶しておいた画像データ等のデータは画像記録装置１の電源を切断しても保持しておくことができる。
【００２３】
また、ＰＣカード１２はＰＣカードＩ／Ｆ１３を介して画像記録装置１とは着脱自在であり、画像記録装置１で取得した画像データをパーソナルコンピュータ１４等へ転送することも可能である。
なお、本実施の形態における記録メディアは不揮発性の特性を持つＰＣカード１２に限らず、画像記録装置１にハードディスクドライブや光磁気ディスクドライブ等を設けて、それらに画像データを記録するようにしても良い。
【００２４】
なお、映像信号処理回路６、音声信号処理回路９、ＲＳ−２３２Ｃ  Ｉ／Ｆ１１、ＰＣカードＩ／Ｆ１３、ＵＳＢ  Ｉ／Ｆ１５、ＣＰＵ１６、ＲＯＭ１７、ＲＡＭ１８はバス１９により接続され、デジタルデータを送受することができるようになっている。
【００２５】
図２は映像信号処理回路６および音声信号処理回路９の構成を示すブロック図である。
映像信号処理回路６はＣＣＵ４からの動画像の映像信号をＡ／Ｄ変換するＡ／Ｄ変換部２０と、静止画像データを圧縮／解凍するＪＰＥＧ圧縮／解凍部２１と、このＪＰＥＧ圧縮／解凍部２１に接続され、静止画像の一時的な記憶にも用いられるＶＲＡＭ２２と、動画像データを圧縮／解凍する動画圧縮／解凍部２３と、グラフィックデータを生成するグラフィック処理部２４と、このグラフィック処理部２４に接続されたＶＲＡＭ２５と、Ａ／Ｄ変換部２０がデジタル変換した映像データ、またはＪＰＥＧ圧縮／解凍部２１、動画圧縮／解凍部２３からの映像信号と、グラフィック処理部２４が生成したグラフィックデータとを重畳するスーパインポーズ部２６と、スーパインポーズ部２６からの映像信号を一時記憶するフレームメモリ２７と、フレームメモリ２７からの映像信号をＤ／Ａ変換するＤ／Ａ変換部２８とからなる。
【００２６】
スーパインポーズ部２６には、Ａ／Ｄ変換部２０から動画像の映像信号を入力され、またＶＲＡＭ２２に一時記憶した静止画像の映像信号がＶＲＡＭ２２から或いはＪＰＥＧ圧縮／解凍部２１をスルーして入力されたりする。そして、システム制御部２の制御により、一方の信号を選択してフレームメモリ２７を介して画像表示装置５に出力する。
つまり、スーパインポーズ部２６は画像信号切換回路を構成している。
【００２７】
なお、ＶＲＡＭ２２、２５は少なくとも１画面分の画像を記憶する容量を有する。また、フレームメモリ２７は、例えば１画面分の記憶容量を有する２つのメモリからなり、一方に記憶している場合に他方のメモリから読み出すことにより、動画像の場合にも、対応できる。
【００２８】
音声信号処理回路９は音声入力装置７からの音声信号をＡ／Ｄ変換するＡ／Ｄ変換部２９と、このデジタル音声信号を符号化／復号化する音声符号化／復号化部３０と、復号化したデジタル音声信号をＤ／Ａ変換するＤ／Ａ変換部３１とからなる。
なお、映像信号処理回路６のＡ／Ｄ変換部２０等の各回路は第４の実施の形態に用いる図８に示すようにバス１９で接続され、バス１９を介してデジタルデータを転送できるようになっている。例えば図２ではＶＲＡＭ２２はＪＰＥＧ圧縮／解凍部２１と接続されているが、Ａ／Ｄ変換部２０でＡ／Ｄ変換された画像をバス１９を介して静止画としてＶＲＡＭ２２に記憶することができる。図２ではＡ／Ｄ変換部２０でＡ／Ｄ変換された画像はＪＰＥＧ圧縮／解凍部２１をスルーしてＶＲＡＭ２２に記憶される。ＶＲＡＭ２２はシステム制御部２のＣＰＵ１６により書き込み、読み出しが制御される。
【００２９】
本実施の形態のリモートコントローラ１０には図３に示したように複数のスイッチが配置されている。
図３において、リモートコントローラ１０に配置されるスイッチは、任意の方向へ傾倒すると傾倒角度情報を出力し、また中心軸方向へ押下すると押下情報を出力するジョイスティック３２と、上下左右方向へ傾倒すると各方向への傾倒を示す情報を出力し、また中心軸方向へ押下すると押下情報を出力するレバースイッチ３３と、押下することにより押下情報を出力する複数のプッシュスイッチ３４〜３８とからなる。
【００３０】
上記プッシュスイッチ３４〜３８はより具体的には画像記録スイッチ３４、サムネイル表示スイッチ３５、マークスイッチ３６、メニュースイッチ３７、フリーズスイッチ３８で構成されている。つまり、これらの各スイッチ３４〜３８には画像記録、サムネイル一覧画面の表示、マークインジケータの付与、メニューの表示、画像のフリーズといった各機能がそれぞれ割り当てられており、それぞれスイッチ押下により対応した処理或いは表示等が行われる。
【００３１】
リモートコントローラ１０からのジョイスティック３２の傾倒情報や各プッシュスイッチ３４〜３８の押下情報はＲＳ−２３２Ｃ  Ｉ／Ｆ１１を介して、制御信号としてＣＰＵ１６に入力され、ＣＰＵ１６はシステム制御プログラムに従い、本画像記録装置１全体を制御する。
【００３２】
例えば、リモートコントローラ１０のジョイスティック３２を任意方向に傾倒すると、その傾倒角度情報はＲＳ−２３２Ｃ  Ｉ／Ｆ１１を介してＣＰＵ１６に入力される。ＣＰＵ１６は内視鏡挿入部先端のアングル制御信号をＲＳ−２３２Ｃ  Ｉ／Ｆ１１を介して、内視鏡ユニット３に送信する。内視鏡ユニット３はＣＰＵ１６より送信されたアングル制御信号を元に、内視鏡ユニット３内に備えたアングル制御用モータの回転を制御し、内視鏡挿入部内のアングル操作用ワイヤを巻き取ったり、伸ばしたりすることにより内視鏡挿入部先端のアングル角度を制御する。
【００３３】
また中心軸方向へ押下すると、その制御信号は同様にＣＰＵ１６に入力され、ＣＰＵ１６は内視鏡挿入部先端のアングルロック信号をＲＳ−２３２Ｃ  Ｉ／Ｆ１１を介して、内視鏡ユニット３に送信する。内視鏡ユニット３はアングル制御用モータを停止し、内視鏡挿入部先端の湾曲を固定する。
【００３４】
リモートコントローラ１０のレバースイッチ３３は上下左右の４方向に傾倒可能で、またレバースイッチ３３は中心軸方向への押下も可能である。レバースイッチ３３を傾倒または押下して出力される制御信号はＲＳ−２３２Ｃ  Ｉ／Ｆ１１を介してＣＰＵ１６に入力される。ＣＰＵ１６はレバースイッチ３３が傾倒、押下されると画像記録装置１の状態に応じた制御を行う。
【００３５】
リモートコントローラ１０の各プッシュスイッチ３４〜３８の１つを押下すると、その制御信号はＲＳ−２３２Ｃ  Ｉ／Ｆ１１を介してＣＰＵ１６に入力される。
【００３６】
フリーズスイッチ３８を押下すると、システム制御部２は映像信号処理回路６のＡ／Ｄ変換部２０でデジタル化された映像信号をＶＲＡＭ２２に一時記憶させる。また、ＶＲＡＭ２２が記憶している映像信号は読み出されてスーパインポーズ部２６でグラフィックデータと重畳され、フレームメモリ２７、Ｄ／Ａ変換部２８を介して映像出力装置５に出力されるようシステム制御部２は制御する。
【００３７】
このようにフリーズスイッチ３８が押下されるとＶＲＡＭ２２に一時記憶された映像信号が読み出されて映像出力装置５に出力されるので、画像表示装置５にはフリーズされた画像が表示されることになる。
【００３８】
なお、フリーズスイッチ３８が操作され、表示画像がフリーズ状態になると、システム制御部２を構成するＣＰＵ１６は、例えばその内部のレジスタ１６ａには表示画像切り換えの情報として、例えばフリーズ表示フラグを０から１に更新して記憶する。このフリーズフラグが１か否かによりフリーズ画像の選択状態か動画の選択状態（フリーズ解除状態）であるか判断することができる。
【００３９】
再びフリーズスイッチ３８が押下された場合、システム制御部２は映像信号処理回路６のＡ／Ｄ変換部２０でデジタル化された映像信号にスーパインポーズ部２６でグラフィックデータと重畳させ、フレームメモリ２７、Ｄ／Ａ変換部２８を介して映像出力装置５に出力させる。つまり、それまでＶＲＡＭ２２から読み出されていた静止画像の映像信号から、Ａ／Ｄ変換部２０の出力する動画像の映像信号に切り換えるので、フリーズが解除されることになる。また、この場合にはフリーズ表示フラグを１から０に更新する。
【００４０】
画像記録スイッチ３４が押下されると、ＣＰＵ１６は現在の表示画像がフリーズ状態かフリーズ解除状態かをフリーズフラグの値により判断し、フリーズ状態であれば、静止画を記録するためにＶＲＡＭ２２に一時記憶された映像信号を、静止画の記録処理を行うＪＰＥＧ圧縮／解凍部２１によってＪＰＥＧ圧縮させ、ＰＣカードＩ／Ｆ１３を介してＰＣカード１２に記録するように制御する。
【００４１】
この時、音声信号入力装置７から入力されている音声信号はＡ／Ｄ変換部２９を介して音声符号化／復号化部３０に入力され、符号化された音声信号を映像信号に添付してＰＣカード１２に記録される。
【００４２】
また現在の表示画像がフリーズ解除状態であれば、画像記録スイッチ３４が押下されると、動画記録するためにＡ／Ｄ変換された映像信号を動画の記録処理を行う動画圧縮／解凍部２３にて圧縮し、ＰＣカードＩ／Ｆ１３を介してＰＣカード１２に記録する。
【００４３】
この時、音声信号が入力されている場合は、静止画時と同様に音声信号を映像信号に添付してＰＣカード１２に記録する。このＰＣカード１２の記憶領域は複数フォルダに分割して管理することが可能である。画像を記録する際に事前にフォルダを選択しておくことで、所望のフォルダへ画像を記録することが可能である。
【００４４】
本実施の形態では、以下に説明するように画像を記録メディアに記録する操作が行われた場合に、その際（より厳密には直前）の画像表示されている状態が動画か静止画かの画像表示状態を判定し、その判定結果に応じて自動的に画像の記録方式を決定する、つまり動画の表示状態であった場合には動画（方式）で記録し、静止画の表示状態であった場合には静止画（方式）で記録するようにして、画像表示状態に適した画像の記録を行えるようにしていることが特徴となっている。
【００４５】
換言すると、画像入力手段から入力される動画像と、この動画像を静止画として一時記憶する静止画記憶手段（具体的にはＶＲＡＭ２２）からの静止画とのいずれかの画像を切り換えて画像表示手段に表示可能とし、画像を記録媒体に記録する操作が行われた場合に、前記切り換えの選択結果に応じて記録手段に記録する方式を自動的に決定するようにしている。
【００４６】
次に、図４に示すフローチャートを用いて本実施の形態の画像記録操作時の動作について説明する。
リモートコントローラ１０の画像記録スイッチ３４が押されると、ステップＳ１に示すように、まず記録メディアであるＰＣカード１２の残容量は十分かをＣＰＵ１６は確認する。
【００４７】
ＰＣカード１２の残容量が少なくなって、画像データを記録できるだけの容量が残っていないか、あるいはＰＣカード１２そのものが装着されていない場合は、ステップＳ２の残容量警告表示を行って処理を終了する。
【００４８】
一方、ＰＣカード１２に十分な容量が残っている場合は、ステップＳ３で表示手段（画像表示装置５）の画像がフリーズ画像か（つまり、フリーズされたフリーズ画像か）否かの判断を行う。そして、フリーズ画像の場合には、ステップＳ４で静止画の記録方式で静止画をＰＣカード１２に記録して処理を終了する。
【００４９】
これに対し、フリーズ画像でない場合には、ステップＳ５のＰＣカード１２へ動画記録を開始する。動画記録が開始すると次のステップＳ６に示すように所定の記録時間が経過するか、リモートコントローラ１０の画像記録スイッチ３４が再度押されたかの判断をＣＰＵ１６は待つ。どちらかに該当したらステップＳ７に示すように動画記録を終了する。動画の記録が終了したらこの処理を終了する。
【００５０】
本実施の形態によれば、画像表示装置５に表示されている画像の状態を判定して、表示されている画像の状態に応じて最適の記録方式を自動的に選択するようにしたので、一々操作者が画像記録方式の切り換え操作を行う必要が無くなる。また、操作者は表示されている画像の状態がどのようになっていれば、どのような記録方式で画像が記録されるかが予め分るので、操作者の意図しない記録方式で画像が記録されてしまう事態を低減することができるという効果がある。
【００５１】
換言すると、本実施の形態によれば、画像の記録操作を行った場合、その直前の画像状態に応じて静止画になっている場合には静止画を、動画になっている場合には動画を記録媒体に記録するようにしているので、その表示状態に応じて適切に画像記録ができ、例えば静止画を動画として無駄に記録するようなことを解消でき、使い勝手の良い画像記録ができる。
【００５２】
なお、上述の説明では、静止画を表示する場合には一時的な画像記憶手段から読み出した画像を表示し、動画を表示する場合には一時的な画像記憶手段を通さずに表示するようにしているが、本実施の形態はこれに限定されるものでなく、動画及び静止画を一旦一時的な記憶手段に記憶して表示手段に出力して表示する場合にも適用できる。
【００５３】
（第２の実施の形態）
次に本発明の第２の実施の形態を図５及び図６を参照して説明する。本実施の形態は第１の実施の形態と同じ構成であり、その動作プログラムを一部変更している。図５は本実施の形態における動作を示すフローチャートであり、図６は動画記録確認ウィンドウを示す。
【００５４】
図５に示すフローチャートを用いて本実施の形態の動作を説明する。
リモートコントローラ１０の画像記録スイッチ３４が押下されると、まずステップＳ１１の記録メディアの残容量が十分かを確認する。
【００５５】
記録メディアの残容量が少なくなって、画像データを記録しておけるだけの容量が残っていないか、あるいは記録メディアそのものが装着されていない場合は、ステップＳ１２の残容量警告表示を行って処理を終了する。
一方、記録メディアに十分な容量が残っている場合は、ステップＳ１３の表示手段で表示されている画像がフリーズ画像か否かの判断を行う。
【００５６】
そして、フリーズ画像の場合には、ステップＳ１４の静止画を記録メディアに記録して処理を終了する。
【００５７】
フリーズ画像でない動画の場合には、まず表示する画像を一旦フリーズにし（ステップＳ１５）、次にフリーズした静止画をメディアに記録し（ステップＳ１６）、再びフリーズを解除して動画にする（ステップＳ１７）。
【００５８】
次に図６に示すような動画記録確認ウインド６０を表示して、ステップＳ１８の動画の記録を開始するかを確認する。
ＮＯボタン６１が選択されたら、動画の記録を中止して処理を終了する。これに対し、ＹＥＳボタン６２が選択されたら、ステップＳ１９に示すように記録メディアへ動画の記録を開始する。
【００５９】
この動画の記録を開始すると、ステップＳ２０に示すように所定の記録時間が経過するか、リモートコントローラ１０の画像記録スイッチ３４か図示しないストアスイッチが再び押されか否かを待ち、これらに該当したらステップＳ２１で動画の記録を終了して処理を終了する。
【００６０】
本実施の形態によれば、画像をフリーズしていない場合でも画像を一旦フリーズして静止画をメディアに記録するので、表示画像がフリーズ解除状態であっても静止画を記録したい場合に一々画像をフリーズする手間を省くことがででき、操作性を向上できる。また、動画の記録を行うこともできる。
【００６１】
（第３の実施の形態）
次に本発明の第３の実施の形態を図７を参照して説明する。図７は本発明の第３の実施の形態の画像記録装置１′を示す。
この画像記録装置１′は図１の画像記録装置１において、ＣＣＵ４と映像信号処理回路６との間に画像切換部３９を設け、この画像切換部３９の一方の入力端ａにはＣＣＵ４から出力される画像信号が入力される。
【００６２】
この画像切換部３９の他方の入力端ｂには外部入力端子を介して外部の映像入力装置４０の画像信号が入力されるようになっている。そして画像切換部３９から出力される画像信号は映像信号処理回路６へ入力される。
上記画像切換部３９の入力切り換えはシステム制御部２のＣＰＵ１６から制御されるようになっていて、具体的にはリモートコントローラ１０の操作によって、ＣＰＵ１６は切り換えを行う。
【００６３】
通常は画像切換部３９はＣＣＵ４側に設定されていて、内視鏡画像が映像信号処理回路６へ入力されている。
リモートコントローラ１０の操作によって、画像切換部３９を外部入力端子側に切り換えると、外部入力端子に接続された映像入力装置４０の映像信号が映像信号処理回路６へ入力される。
その他の構成及び作用は第１の実施の形態と同様である。
【００６４】
本実施の形態の画像記録装置１′によれば、第１の実施の形態の効果の他に、内視鏡画像以外にも外部から入力される画像を表示したり記録したりすることができるようになる。
例えば外部入力端子にＣＣＤカメラのような撮像装置を接続しておけば、内視鏡では撮影することが困難な検査対象の全景や、内視鏡検査を実施している周辺の状況を、撮影して記録しておけるので、後から検査を振り返ってみる場合に検査がどのような状況下で行われたのかが分かるので、検査結果の解析に有効である。その他は第１の実施の形態と同様の効果を有する。
【００６５】
なお、画像切換部３９の切り換えはリモートコントローラ１０の操作によらずとも、外部入力端子へ映像入力装置４０の映像信号が入力されたことを検知して、自動的に外部入力端子側に切り換えるようにしても良い。
【００６６】
（第４の実施の形態）
次に図８から図１１を参照して本発明の第４の実施の形態を説明する。本実施の形態の画像記録装置の構成は例えば図１に示したものとほぼ同様の構成であり、その動作プログラムが一部異なる。
【００６７】
図８に示す画像記録装置１Ｃは、図１或いは図２において、システム制御部２のＲＯＭ１７には、さらにサムネイル画像表示プログラム１７ａが格納されている。
【００６８】
そして、リモートコントローラ１０のサムネイル表示スイッチ３５を押下することにより、ＣＰＵ１６はサムネイル画像表示プログラム１７ａに従って、ＰＣカード１２の各フォルダ毎に記録された複数の画像データをＪＰＥＧ圧縮／解凍部２１を介して解凍させ、さらに解凍した画像を間引く等して縮小画像（サムネイル画像）にして、例えばＶＲＡＭ２２に順次格納する。
【００６９】
そして、ＶＲＡＭ２２に順次格納された複数のサムネイル画像をスーパインポーズ部２６により、グラフィック信号処理部２４で生成した画像とスーパインポーズしてフレームメモリ２７に格納し、このフレームメモリ２７に格納された画像情報を画像表示装置５に出力するようにしている。
【００７０】
なお、記録されている画像データが動画の場合には、その最初の画像データが動画圧縮／解凍部２３を介して解凍させ、さらに解凍した画像を間引く等して縮小画像（サムネイル画像）にして、ＶＲＡＭ２２に格納する。
そして、図９に示すようにサムネイル画像一覧画面７０で複数のサムネイル画像を一覧表示する。
また、グラフィック信号処理部２４は、サムネイル画像部分以外のグラフィッック画像部分を生成する。例えば、複数のサムネイル画像において、指定された１つのサムネイル画像を指定する画像指定マーク（カーソル）を生成する画像指定マーク生成処理部２４ａ等を有する。
【００７１】
そして、スーパインポーズ部２６によって、サムネイル画像とグラフィッック画像部分とがスーパインポーズされ、フレームメモリ２７を介して画像表示装置５で表示される。
【００７２】
次に、本実施の形態における第１の実施の形態と異なる部分の動作を説明する。
まず、本実施の形態において画像再生操作を行う際の動作を図９を用いて説明する。
リモートコントローラ１０のサムネイル表示スイッチ３５を押下することにより、記録した画像データを閲覧する旨の操作指示がシステム制御部２に与えられると、ＣＰＵ１６はＰＣカード１２の各フォルダ毎に記録された複数の画像データをＪＰＥＧ圧縮／解凍部２１に送るように制御する。
【００７３】
そして、解凍して縮小処理したサムネイル画像と、グラフィック信号処理部２４で生成した表示シート７２等とをスーパインポーズしてフレームメモリ２７に格納する。このフレームメモリ２７に格納された画像データは読み出され、画像表示装置５には図９に示すサムネイル画像一覧画面７０が表示される。
【００７４】
このサムネイル画像一覧画面７０には図示したように複数のサムネイル画像７１がサムネイル画像表示シート７２上にファイル名用連番７３が付けられて一覧表示される。個々のサムネイル画像７１は元になる画像データに対応していて、サムネイル画像として表示されているのは、対応する元画像を縮小した画像である。
【００７５】
また、ＣＰＵ１６は、ＰＣカード１２に画像を記録する場合には、その前にＰＣカードＩ／Ｆ１３を介してＰＣカード１２の記憶可能な容量から記憶に用いた容量或いは記憶が可能な残容量を検出して、内部のレジスタ１６ｂにその情報を格納する。そして、画像の記憶を行った後には、前の情報を更新する。また、画像情報を読み出した場合に、後述するように、メディア使用量インジケータで使用量を表示することもできる。
【００７６】
ＰＣカード１２の記憶領域は複数のフォルダに分割して管理することが可能である。図９のフォルダタブ７４はＰＣカード１２内の各フォルダに対応している。この図９では例えば１０１、１０２、１０３のフォルダ番号７５の３つのフォルダタブ７４が表示されている。このように、フォルダを作成して画像を整理して管理すると、画像の管理が容易になる。
【００７７】
ＰＣカード１２に多くのフォルダを作成していて、全てのフォルダタブ７４が画面上に表示しきれない場合は、フォルダスクロールインジケータ７５を画面の上及び下に表示して、画面上に表示されている以外にもフォルダが存在していることを表す。
【００７８】
サムネイル画像一覧画面７０にはメディア使用量インジケータ７６が表示され、ＰＣカード１２の使用量をバーグラフとして表示し、残量が一目で分かるようにしている。これにより、ＰＣカード１２の残量が分かるので、検査中にＰＣカード１２が満杯になったのに気がつかないようなことを防止できる。
【００７９】
なお、このメディア使用量インジケータ７６は図１０に示すようにメディアの使用量を数値で％表示しても良い。
【００８０】
リモートコントローラ１０のレバースイッチ３３を上下左右に傾倒することで、表示されている複数のサムネイル画像７１の内で、任意の１つのサムネイル画像を指定することが可能である。
指定されたサムネイル画像は、画像の縁がサムネイル画像指定カーソル７７で縁取られることで他のサムネイル画像と識別ができる。
【００８１】
１つのサムネイル画像７１を選択して、後述する画像の再生操作を行うと、サムネイル画像７１に対応する元画像が再生される。また、１つまたは複数のサムネイル画像７１を選択して、コピー、移動、削除といった操作を行うと、そのサムネイル画像７１に対応する元画像がコピー、移動、削除される。
【００８２】
リモートコントローラ１０のレバースイッチ３３を上下左右に傾倒してサムネイル画像７１を選択し、マークスイッチ３６を押下することで、サムネイル画像７１上にマークインジケータ７８を付与する。
マークインジケータ７８は複数のサムネイル画像７１に付与することができる。
サムネイル画像７１にマークインジケータ７８を付与することで、選択的にコピー、移動、削除といった操作が可能となる。
【００８３】
画像の再生操作はリモートコントローラ１０のスイッチ操作で行う。すなわち、サムネイル画像一覧画面７０で１つのサムネイル画像７１が指定された状態で、リモートコントローラ１０のレバースイッチ３３を押下すると、指定されたサムネイル画像７１に対応する元画像が再生される。その際、指定されたサムネイル画像７１に対応した元画像が静止画であった場合は、静止画を全画面表示する。
【００８４】
指定されたサムネイル画像７１に対応した元画像が動画であった場合は、動画再生を開始する。
指定されたサムネイル画像７１に対応した元画像に音声が添付されていた場合は、元画像の再生とともに音声の再生を開始する。
【００８５】
画像を再生した場合は、図１１（Ａ）に示すようにサムネイル画像７１に対応した画像を全画面表示し、画面上にフォルダ番号７５と画像連番７３を続けて表示する。図１１（Ａ）は１０１番のフォルダの０００２番の画像を再生しているところを示している。
画像を再生した状態でレバースイッチ３３を押下すると、再びサムネイル画像一覧画面７０を表示する。
【００８６】
画像を再生した状態でリモートコントローラ１０のレバースイッチ３３を左右に傾倒することで、サムネイル画像一覧画面７０に戻ることなく、同一フォルダ内の再生画像を次々と切り換えて再生することができる。レバースイッチ３３を右に傾倒すると順送りに再生画像を切り換える。順送りに再生画像を切り換えると、図１１（Ｂ）に示すように画像連番７３が１つ大きい画像を再生する。
レバースイッチ３３を左に傾倒すると逆送りに再生画像を切り換える。逆送りに再生画像を切り換えると、図１１（Ｃ）に示すように画像連番７３が１つ小さい画像を再生する。
【００８７】
本実施の形態によれば、画像を再生表示した状態でレバースイッチ３３を左右に傾倒することで、前後の再生画像を次々と切り換えて表示することができるので、画像を連続して再生したい場合に一々サムネイル画像一覧画面７０に戻って画像再生操作をやり直す必要が無くなる。
【００８８】
そのため、１回の検査で多数の画像を記録した場合に、検査結果をレビューする際の再生操作の手間を削減することができ、所望とする画像を簡単に再生することもできる。その他第１の実施と同様の効果を有する。
【００８９】
（第５の実施の形態）
次に、図１２ないし図１４を参照して本発明の第５の実施の形態を説明する。本実施の形態の画像記録装置の構成は図１或いは図８とほぼ同様である。
【００９０】
図１２に示す画像記録装置１Ｄは、例えば図８において、グラフィック信号処理部２４にはメニュー画面を生成するメニュー画面生成処理部２４ｂを有する。そして、図３のメニュースイッチ３７を操作した場合には、ＣＰＵ１６はグラフィック信号処理部２４にメニュー画面生成処理の命令を送り、グラフィック信号処理部２４はメニュー画面生成処理部２４ｂにより、メニュー画面を生成して、フレームメモリ２７に格納する。このフレームメモリ２７に格納されたメニュー画面の画像は画像表示装置５に出力される。その他は図８とほぼ同様の構成である。
【００９１】
次に本実施の形態に特有の動作を説明する。
本実施の形態では図３に示すリモートコントローラ１０において、メニュースイッチ３７は画像表示装置５の画面上にオンスクリーンメニューを表示するためのスイッチであり、このメニュースイッチ３７を操作すると図１３に示すメニュー画面８０が表示される。
【００９２】
レバースイッチ３３は、上下左右の４方向に傾倒可能であり、メニュー画面が表示されている状態ではレバースイッチ３３を上下に傾倒するとメニュー項目を選択し、レバースイッチ３３を左右に傾倒すると設定項目を選択する。
【００９３】
次に図１３を参照して本実施の形態のメニュー表示について説明する。リモートコントローラ１０のメニュースイッチ３７が押されると、システム制御部２は画像表示装置５の画面上に図１３に示すようなメニュー画面８０を表示する。このメニュー画面８０には図１３に示すようにメニュー項目８１が縦に表示される。
【００９４】
本実施の形態ではメニュー項目８１は上から「輪郭強調」、「音声」、「明るさ」、「圧縮率」、「色合い」という順番に並んでいる。システム制御部２はメニュー項目８１を表示すると、メニュー項目８１の内の１つを必ず選択する。その際、選択したメニュー項目８１を反転表示する（図１３及び図１４では斜線で示す）ことで、当該メニュー項目８１が選択されていることを明示する。図１３では「明るさ」メニュー項目８１が選択されている。
【００９５】
システム制御部２は選択されているメニュー項目８１の右には当該メニュー項目８１の設定項目８２を表示する。本実施の形態では、「明るさ」メニュー項目８１の設定項目８２は、左から「暗い」、「標準」、「明るい」という順番に並んでいる。
【００９６】
システム制御部２は設定項目８２を表示すると、設定項目８２の内の１つを必ず選択する。その際、選択されている設定項目８２を反転表示する（図１３及び図１４では斜線で示す）ことで、当該設定項目８２が選択されていることを明示する。図１３では「明るさ」メニューの設定項目８２としては、「標準」が選択されている。
【００９７】
次に図１４を用いて本実施の形態のメニュー操作について説明する。
最初にレバースイッチ３３を左右に傾倒した場合の操作について説明する。図１４（Ａ）に示したように、メニュー項目８１が「明るさ」、設定項目８２が「標準」が選択されている状態で、レバースイッチ３３を右に傾倒すると、システム制御部２は設定項目の選択を図１４（Ｂ）に示すようには右隣の「明るい」に移す。
【００９８】
それに伴い設定項目８２の反転表示も「標準」から「明るい」へ移動させる。右隣に設定項目８２が無い場合には、設定項目８２の移動はしない。同様にメニュー項目８１が「明るさ」、設定項目８２が「標準」が選択されている状態で、レバースイッチ３３を左に傾倒すると、システム制御部２は設定項目８２の選択を図１４（Ｃ）に示すように左隣の「暗い」へ移す。
【００９９】
それに伴い設定項目８２の反転表示も「標準」から「暗い」へ移動させる。左隣に設定項目８２が無い場合には、設定項目８２の移動はしない。システム制御部２は設定項目８２の選択が変更されたら、新たに選択された設定項目８２に対応する機能を即実行する。
【０１００】
ちなみに、「明るさ」は画像の明るさを設定するためのメニュー項目８１なので、図１４（Ｂ）に示すように「明るさ」メニュー項目８１の設定項目８２が「標準」から「明るい」へ変更されたら、直ちに画像が明るくなるようＣＣＵ４を制御する。
【０１０１】
次にレバースイッチ３３を上下に傾倒した場合の操作について説明する。
図１４（Ａ）に示したようにメニュー項目８１が「明るさ」が選択されている状態で、レバースイッチ３３を上に傾倒すると、システム制御部２はメニュー項目８１の選択を図１４（Ｄ）に示すように上隣の「音声」へ移す。
【０１０２】
メニュー項目８１の反転表示も「明るさ」から「音声」へ移動させる。メニュー項目８１を「音声」へ移動させると同時に設定項目８２も「明るさ」の設定項目８２である「暗い」、「標準」、「明るい」を消去し、図１４（Ｄ）に示すように「音声」の設定項目８２である「入り」、「切り」を表示する。
【０１０３】
同様に、メニュー項目８１が「明るさ」が選択されている状態で、レバースイッチ３３を下に傾倒すると、システム制御部２はメニュー項目８１の選択を図１４（Ｅ）に示すように下隣の「圧縮率」へ移す。メニュー項目の反転表示も「明るさ」から「圧縮率」へ移動させる。
【０１０４】
メニュー項目８１を「圧縮率」へ移動させると同時に設定項目８２も「明るさ」の設定項目８２である「暗い」、「標準」、「明るい」を消去し、図１４（Ｅ）に示すように「圧縮率」の設定項目である「低圧縮」、「標準」、「高圧縮」を表示する。
本実施の形態によれば、第１の実施の効果の他に、メニューでの所望とする項目等を選択して確定することが容易かつ迅速に行える。
【０１０５】
レバースイッチ３３はメニューを表示していない場合には、メニュー項目８１の選択以外の操作に用いても良い。
例えば、ズーム機能などを用いて画像を拡大している際に画像の上下・左右の移動の操作（チルト・パン操作）に用いても良い。この場合、上下、左右だけでなく、斜め方向にも操作できる。
このようにすると、スイッチの数を減らせると共に、操作性を向上できる。
【０１０６】
［付記］
１．動画像を入力する第１のコネクタと、
前記第１のコネクタから入力される動画像の一画面分を静止画像として記憶するメモリと、
前記第１のコネクタから入力される動画像と、前記メモリから読み出される静止画像とを切り換えて、画像を表示する表示装置に出力する画像信号切換回路と、
画像記録の開始を指示するリモートコントローラと、
画像信号切換回路の切り換え状態に基づき、所定の記録媒体に対して、表示されている画像を記録する処理を行う記録処理回路と、
前記リモートコントローラが画像の記録を指示する時に、画像信号切換回路の切り換え状態に基づき、前記記録処理回路の記録方式を設定する記録制御回路と、
を有する画像記録装置。
【０１０７】
２．付記１の画像記録装置であって、
前記記録制御回路は、前記リモートコントローラが画像記録の開始を指示するときに、画像信号切換回路の切り換え状態に基づき、前記メモリが記憶する静止画像の更新を指示し、更新する静止画像の記録を前記記録処理回路に指示する。
３．付記１の画像記録装置であって、
動画像を入力する第２のコネクタを更に設け、前記第１のコネクタからの動画像と前記第２のコネクタからの動画像とを切換える入力切換回路を有する。
【０１０８】
４．付記１の画像記録装置であって、
さらに前記記録媒体に記録される複数の画像に基づき、サムネイル画像を生成するサムネイル画像生成処理部を有する。
【０１０９】
５．付記１の画像記録装置であって、
前記記録制御回路の指示に基づき、グラフィック画像データを生成するグラフィック処理部を有し、前記画像信号切換回路は、前記グラフィック処理部で生成されるグラフィック画像データを前記表示装置に出力する。
【０１１０】
６．付記４の画像記録装置であって、前記リモートコントローラーの指示に基づき、前記サムネイル画像上に画像指定マークを表示する画像指定マークを表示するグラフィック処理部を有する。
【０１１１】
７．付記５の画像記録装置であって、
前記グラフィック処理部は、表示画像を調整するためのメニュー画面を生成し、
前記リモートコントローラは、前記メニュー画面の表示を指示するスイッチと、前記メニュー画面の表示項目の配置に対応づけて前記表示項目を選択するレバースイッチを有する。
【０１１２】
８．入力される画像信号をフレーズして表示装置に出力する画像記録装置の画像記録方法であって、
画像記録の開始を指示する記録開始ステップ、
表示装置に表示している画像の状態を判断する表示状態判断ステップ、
前記表示状態判断ステップの判断結果に基づき、記録方式を設定する記録方式設定ステップ、
前記記録方式設定ステップの設定結果に基づき、所定の記録媒体に表示させている画像を記録する記録処理ステップ、
とからなる。
【０１１３】
９．付記８の画像記録方法であって、
前記表示状態判断ステップが表示画像を動画と判断するときは、フリーズ画像を更新するフリーズ画像更新ステップと、更新するフリーズ画像を記録するフリーズ画像記録ステップを有する。
【０１１４】
（付記１〜９の背景）
付記１〜９の先行技術として、さらにＵＳパテント４５４６３９０がある。この先行技術例には、撮像素子からの読み出しレートをスチルモード時とムービーモード時で切換えて読み出し、スチルモード時で読み出したときは、全ての画素に対応させて記録し、ムービーモード時で読み出したときは、画素数またはビット数の一方をスチルモードより減少させて記録する旨が記載されている。
しかし、この先行技術も従来例の欄で説明したような欠点がある。
【０１１５】
【発明の効果】
以上説明したように本発明によれば、表示されている画像の状態に応じてその記録に適した記録方式を自動的に切り換えて、記録することができる。
【図面の簡単な説明】
【図１】本発明の第１の実施の形態の画像記録装置の構成を示すブロック図。
【図２】映像信号処理回路及び音声信号処理回路の構成を示すブロック図。
【図３】リモートコントローラを示す正面図。
【図４】画像記録スイッチを操作した場合の処理内容を示すフローチャート図。
【図５】本発明の第２の実施の形態における画像記録スイッチを操作した場合の処理内容を示すフローチャート図。
【図６】動画記録確認ウインドウを示す図。
【図７】本発明の第３の実施の形態の画像記録装置の構成を示すブロック図。
【図８】本発明の第４の実施の画像記録装置の構成を示すブロック図。
【図９】  サムネイル画像一覧画面を示す図。
【図１０】図９とはメディア使用量インジケータの表示が異なるサムネイル画像一覧画面を示す図。
【図１１】サムネイル画像の元画像の再生表示例を示す図。
【図１２】本発明の第５の実施の画像記録装置の構成を示すブロック図。
【図１３】メニュー画面を示す図。
【図１４】レバースイッチでメニュー項目等を選択した場合のメニュー画面例を示す図。
【符号の説明】
１…画像記録装置
２…システム制御部
３…内視鏡ユニット
４…ＣＣＵ
５…映像出力装置
６…映像信号処理
７…音声入力装置
８…音声出力装置
９…音声信号処理回路
１０…リモートコントローラ
１１…ＲＳ−２３２Ｃ  Ｉ／Ｆ
１２…ＰＣカード
１３…ＰＣカードＩ／Ｆ
１４…パーソナルコンピュータ
１５…ＵＳＢ  Ｉ／Ｆ
１６…ＣＰＵ
１７…ＲＯＭ
１８…ＲＡＭ
２０…Ａ／Ｄ変換部
２１…ＪＰＥＧ圧縮／解凍部
２３…動画圧縮／解凍部
２４…グラフィック信号処理部
２６…スパインポーズ部
２７…フレームメモリ
２８…Ｄ／Ａ変換部
３０…音声符号化／復号部
【図１】
0004464572.tif 000002
【図２】
0004464572.tif 000003
【図３】
0004464572.tif 000004
【図４】
0004464572.tif 000005
【図５】
0004464572.tif 000006
【図６】
0004464572.tif 000007
【図７】
0004464572.tif 000008
【図８】
0004464572.tif 000009
【図９】
0004464572.tif 000010
【図１０】
0004464572.tif 000011
【図１１】
0004464572.tif 000012
【図１２】
0004464572.tif 000013
【図１３】
0004464572.tif 000014
【図１４】
0004464572.tif 000015